(57)【要約】【課題】  釘で遊技盤面に取付けられた風車の取付き状態は始動口周辺への遊技球の寄りに関連して図柄表示装置の変動回数に影響を及ぼすが風車近傍の遊技釘及び遊技盤面の装飾類が障害となり取付き状態を確認する簡便な計測器が無く勘に頼った調整が行われている又、遊技盤面に打込まれた遊技釘は遊技機の使用頻度によって金属疲労から釘折れが発生することもあって遊技釘の打直しを行わなくてはならないが打直し釘の浅深も勘に頼っていた。打直し釘が始動口の命釘であったとき、打直しの浅深が前記変動回数に影響を及ぼすが簡便な打込み浅深計測器が無かった。【解決手段】  公知のノギス及び電子ノギスでデプスバーの測定子近傍をクランク状に曲げるか加工することで課題を解決した又、ノギスの内側、外側用測定ジョーを取り省き指通し部、指掛部を設けたことにより片手での計測が容易になった。【選択図】図16
2009291260.tif 000002
【特許請求の範囲】
【請求項１】
パチンコ遊技機の遊技盤面に釘によって取付けられた風車の円板部と直近の遊技盤面との隔たりを計測したり又は、遊技盤面に打込む遊技釘の打込みの浅深を計測したりするために本尺と副尺目盛を備えた公知のノギスで前記用途専用に使用するために外側用計測ジョー及び内側用計測ジョーを取り省きデプスバーのみを備えて、風車の計測に際して障害となる風車近傍の遊技釘及び遊技盤面に取付けられた多様な装飾類から逃れて正確に計測するために、デプスバーの測定子近傍をクランク状に曲げ又は、クランク状に加工を施し本尺には指通し部又は、指掛部を備えたアーム部を設け、スライダ裏面にも指通し部又は、指掛部を設け、該指通し部又は、指掛部に指を通し又は、指を掛けることにより片手で容易に計測操作ができるようにしたこと、本尺目盛数字と副尺目盛数字をデプスバー測定子当接面方向が上向きになるように表記したことを特徴とするデプスゲージ。
【請求項２】
前記用途を実現するために公知の電子ノギスの内側用、外側用ジョーを取り省き可動副尺部に取付けたデプスバーのみを備えて、デプスバーの測定子近傍をクランク状に曲げるか又は、クランク状に加工を施し、デジタル表示部の付いた可動副尺部の裏面に指通し部又は、指掛部を設け本尺にも指通し部又は、指掛け部を備えたアーム部を設け、デジタル表示される数字をデプスバー測定子当接面方向が上向きになるように表示したことを特徴とする電子デプスゲージ。
【請求項３】
遊技釘の打込み浅深を計測するために公知のノギスで内側用、外側用測定ジョーを取り省き直型のデプスバーのみを備え本尺に設けたアーム部とスライダ裏面のそれぞれに指通し部又は、指掛部を設け、本尺と副尺の目盛数字をデプスバー測定子当接面方向が上向きになるように表記したことを特徴とするデプスゲージ。
【請求項４】
遊技釘の打込み浅深を計測するために公知の電子ノギスで内側用、外側用ジョーを取り省き直型のデプスバーのみを備え、本尺に設けたアーム部とデジタル表示部の付いた可動計測部の裏面に指通し部又は、指掛部を設けデジタル表示される数字をデプスバー測定子当接面方向が上向きになるようにしたこと特徴とする電子デ
プスゲージ
【請求項５】
請求項1,2,3,4のデプスゲージ及び電子デプスゲージで使用する指通し部、指掛部にあって本尺アーム部又は、スライダ及び可動副尺部裏面に螺子止め又は、溶接で固定する部材と指通し部材、指掛部材とに分割して双方に枢支孔を設けてリベット、螺子などで連結し、指通し部及び指掛部を折り曲げ可能としたこと。
【発明の詳細な説明】
【技術分野】
【０００１】
本発明はノギスに関する。詳しくはパチンコ機の遊技盤面に釘によって回転自在に取付けられた風車の円板部と直近の遊技盤面との隔たりを計測したり、遊技盤面に打込まれた遊技釘の打込み浅深状態を計測したりするデプスゲージと該ゲージの取扱い操作を簡便化したことに関する。
【背景技術】
【０００２】
ノギスとして本尺の長手方向に沿って本尺目盛を形成するとともに、スライダに副尺目盛を形成したノギス、スライダの移動量をダイヤルの指針の回転に変換してダイヤル表示するノギス、スライダの移動量を光電式、静電容量式、磁気式などのエンコーダによって電気信号に変換し信号に基づく移動量をデジタル表示するノギスなどが知られている（特許文献1,2,3,4参照）
【０００３】
パチンコ遊技機の遊技盤面に釘によって取付けられた風車の角度ゲージとして（例えば特許文献5参照）、風車高計測用具として本出願人による（特許文献6参照）が提案されており又、（非特許文献1参照）は市販されている。
【特許文献１】特許出願2002-146634  ノギス
【特許文献２】特許出願2001-23857  ノギスおよびノギス用グリップ
【特許文献３】特許出願平9-48684  電子ノギス
【特許文献４】特許出願平7-256466  静電容量型ノギス
【特許文献５】特開2004-283502号公報（Ａ）
【特許文献６】特許出願2008-54538  パチンコ遊技機風車高計測用具
【非特許文献１】インターネット＜http://www.officejapan.net/＞製品情報検索、上達君釘調整ツール検索、上達君風車角度ゲージ。
【発明の開示】
【発明が解決しようとする課題】
【０００４】
パチンコ店舗は営業終了後から開店までの間に遊技客と店舗の収益の調和を計画してパチンコ遊技機の遊技盤面に打込まれた遊技釘の調整を行う。その調整の一環として遊技盤面に釘によって取付けられた風車の取付き角度調整を行うことがある。狙いは始動口周辺への遊技球の寄りぐあいの調整である。始動口周辺への遊技球の寄りぐあいは図柄表示装置の1分間の変動回数に大きく影響を与えるものである。
【０００５】
変動回数に影響を与える風車の取付き状態の計測で最も課題となるのが風車近傍に打込まれた遊技釘と風車近傍まで迫る遊技盤面へ取付けられた装飾類でこれらが障害となって計測用具が使えないために釘調整者の勘に頼った推測による調整が行われていた。
【０００６】
又、遊技盤面に打込まれた遊技釘は遊技機の使用頻度によって磨耗が進むと共に金属疲労が発生して折れてしまうことがある。釘折れが図柄表示装置始動口の命釘であったばあい、遊技釘の打直しを行うが遊技釘の打込みの浅深が遊技球の通過有効面積に影響を与えるため図柄表示装置の変動回数に微妙な影響を及ぼす。
【０００７】
前記する要因によりパチンコ店舗と遊技客との利益の調和が図りにくかったり、パチンコ店舗に設置された遊技機の図柄変動装置の1分間の変動回数が各台不均衡であったりして遊技客に不公平感や不満を与えていた。
【０００８】
背景技術の項で提案されている特許文献5の「遊技機の風車傾斜角計測ゲージ」は位置決め部を風車下へ導入する際に該ゲージ導入部の厚さの分だけでも風車を取付けている釘を引き抜く作業が発生することが考えられる。
【０００９】
作業の一環で風車を任意の傾斜に調整しても、引抜いた風車の釘は元に戻すために打付ける必要がある。打付け後の風車の傾斜状態は調整時の傾斜と異なった状態を呈することは明らかである。そのため、再度風車を取付けている釘を引抜き調整しなくてはならず繰り返しの作業が発生する又、特に該ゲージにあっては風車近傍の遊技釘と遊技盤面に取付けられた装飾類が障害となって現実的には計測に不向きな風車が多いと考えられる。
【００１０】
非特許文献1の「上達君風車角度ゲージ」は風車を遊技盤面に取付けている釘の角度を計測する用具で市販されている唯一の計測用具と考えられるが釘の笠といわれる頭の部分が直径にして約4ｍｍの大きさがありその頭頂部の芯を勘で探して計測しなくてはならない難しさがある又、計測調整後に「決め打ち」と称する風車釘の打付けを推奨しているが調整後の打付けは前記と同じく調整と異なる角度を呈すると考えられる。
【００１１】
特許文献6の本出願人による「パチンコ遊技機風車高計測用具」は最小1ｍｍ単位の計測しかできず、ノギスの計測能力と比較したばあいはるかに劣るものである。
【００１２】
又、公知のノギス及び、電子ノギスを鉛直方向に固定された遊技盤面に向かって使用するには相当の経験と熟練を要する難しさがあるため簡易に計測できるようにする必要がある。
【課題を解決するための手段】
【００１３】
遊技盤面に釘によって取付けられた風車の取付き状態の確認にあっては特許文献6の本出願人による「パチンコ遊技機風車高計測用具」と同じく風車の円板部の四方又は、円板部の一方と直近の遊技盤面との隔たりをノギスのデプスバーを使って計測し取付き状態を確認する手段を採用した。
【００１４】
又、遊技釘の釘折れに際し釘の打直しの浅深状態もノギスのデプスバーを使って確認する手段を採用した。
【００１５】
風車の取付き状態の確認は計測に障害となる風車近傍に打込まれた遊技釘から逃れて計測を可能とするためにデプスバーを薄くすることにより風車の円板部と遊技釘の隙間にデプスバーが容易に入るようにした。
【００１６】
又、風車近傍に迫る遊技盤面に取付けられた装飾類から逃れて計測を可能とするため遊技盤面と当接させるデプスバーの測定子近傍をクランク状に曲げるか、クランク状に加工形成することにより障害となる装飾類のから逃れて正確な計測ができるようにした。
【００１７】
前記のように遊技機の盤面に取付けられた風車の取付き状態計測又、折れた遊技釘を打直したときの打込みの浅深状態を確認するには公知のノギスのデプスバーのみが必要であり不要のジョーは取り省いた。
【００１８】
不要のジョーを取り省いたノギスの本尺にアーム部を設け該アーム部に指通し部又は、指掛部を設け、スライダ又は、可動副尺部の裏面にも指通し部又は、指掛部を設け該指通し部又は、指掛部に指を通すか指を掛けることでノギス使用者が片手で容易に取り扱えるようにした。
【００１９】
計測後の目盛視認時に目盛を確認し易いように目盛数字がデプスバー方向を上向きになるように表記した。
【発明の効果】
【００２０】
今まで使い勝手のよい計測用具が無かったために勘に頼った風車の取付き状態確認又、釘折れ時の勘に頼った遊技釘の打込み浅深状態の確認が本発明により0.05ｍｍの精度で又、電子デプスゲージでは0.01ｍｍ以上の精度で容易に確認できるようになった。これにより店舗に備えられた各遊技機の変動回数の不均衡を是正することができ店舗と遊技客の利益の調和がとり易くなり遊技客が抱いていた変動回数不均衡に対する不公平感、不満を解消することができる。
【発明を実施するための最良の形態】
【００２１】
パチンコ遊技機の各メーカが遊技機の遊技盤面に釘によって取付ける風車はほぼ同じ大きさと形状をしているので図1で風車を示す。図1（a）は遊技客側から見た風車の正面図で1は風車の円板部である。円板部の直径はほぼ30ｍｍを有している。円板部の中央には釘で遊技盤面に取付けるための貫通孔2が設けてある。円板部の外輪から貫通孔2までに小さくなっていく輪は模様であったり、凹凸であったりする。
【００２２】
図1（b）は風車の側面図である。円板部1から突出部で遊技盤との接面部8となる最先端までが約17ｍｍを有している。接面部8は遊技機の使用頻度により磨耗が進む。3は回転軸部であり、回転軸部の中央に貫通孔2が設けてある。
【００２３】
図1（c）は図1（a）の裏面図である。裏面中央から突出形成された細筒状の回転軸部3があり、回転軸部3には放射状に延出する3枚の羽根4を備えている。
【００２４】
風車は遊技盤面図1（d）11に貫通孔2を通した風車釘5aによって回転自在になるように緩やかに取付けられる。風車釘5aの6は釘笠部、7は釘の頭頂部を示す。
【００２５】
図2の（a）は公知のノギスで外側用測定ジョー13内側用測定ジョー12を備えている図2（ｂ）の19と同じく本尺15の裏面にスライダ17と一体化したデプスバー（図示無し）が有る。17aはスライダ止め螺子で30は止端部材止め螺子である。
16は本尺目盛部で18は副尺目盛部である。31、32の本尺囲み部材は本尺長手方向へスライド自在となるように33の螺子で止めてある。
【００２６】
図2（ｂ）は公知の電子ノギスで前記と同じく外側用測定ジョー13と内側用測定ジョー12とデプスバー19を有している。15は本尺で18aは電子部品を組み込んだ電子部品内蔵可動副尺部である。16aは測定結果を示す表示部である。37は電源スイッチ、38が保留ボタン、39がクリアボタンとなっている。
【実施例】
【００２７】
本発明を構成する部材には金属、非鉄金属、合成樹脂類の高分子化合物を使ってよい。図3（a）は本発明で請求項1のスライダ17であってデプスバー19が一体化した図である。公知のノギス及び電子ノギスはデプスバー19の反対方向に外側用測定ジョー13と内側用測定ジョー12を有しているが本発明では取り省いてあるのが1つの特徴である。
【００２８】
本発明ではスライダ17と一体化したデプスバー19の末端にある測定子当接面21近傍20をクランク状に曲げてあることを特徴としている。デプスバー19を曲げないときの測定子21と測定子近傍をクランク状に曲げたとき或は加工したときの測定子21の位置の変位巾は2ｍｍ以上設けてある。クランク状20に曲げたりクランク状に加工を施したりすることにより風車の取付け位置近傍まで迫る遊技盤面の装飾類に障害されることなく風車の取付き状態計測が可能となる。
【００２９】
該デプスバー19は厚さを1ｍｍ程度まで薄くしたことにより風車近傍に打込まれたほぼ全部の遊技釘と風車の隙間に入れることが可能となり遊技釘が障害となることなく計測できる。デプスバー19を薄くすることによる計測時のデプスバー19の曲がりや歪みを防止するためにスライダ17の本体方向へのデプスバーの厚み図3（b）測定子当接面21は2ｍｍ以上確保した。
【００３０】
図3（a）の22は板バネで形状は図3（e）、で示すように長方形状で長さはスライダより僅かに短く巾は2ｍｍ程度、厚さは1ｍｍ弱、図3（ｆ）では板バネが僅かに湾曲している様子を図示した。スライダ図3（a）22ａには板バネ滑り止めピンが突出しており突出部を図3（e）22bの板バネ滑り止めピン孔に合わせて入れることにより板バネ22のズレを防止している。
【００３１】
板バネ22は本尺15とスライダ17の間にあって適度なバネの圧力でスライダ17を動かす際に安定した滑らかな動きを与える役目を担っている。
【００３２】
図3（a）、17aはスライダ17止め螺子で板バネ22のバネの圧力調整に使う他、被測定物の計測後、目盛表示を固定するときに用いる。
【００３３】
図3（b）はスライダ17の厚さ及び形容を示す図である、スライダ17は両側に本尺15の囲み部材31、32を螺子止めするための螺子孔33aを設けるに必要な厚さと巾を確保してある。
【００３４】
図3（c）は本尺囲み部材31と32で本尺囲み部材31には副尺目盛が表記してある又、スライダ17に螺子止めするための本尺囲み部材止め螺子用孔33bが設けてある。
【００３５】
図3（ｄ）本尺囲み部材31、32の厚さと形容を示す図である又、本尺囲み部材止め螺子用孔33bを透視図で描いた。  
【００３６】
図4はスライダ17の裏面図である。裏面には指通し部材止め螺子孔25aが設けられており指通し部材24又は、指掛部材27のいずれかを螺子止めする、指掛部材を螺子止めする際には新たに螺子孔を備えるものとする又、指通し部材24及び指掛部材27はスライダ17の裏面に直接溶接で固着することもできる。
【００３７】
図5は請求項1の本発明「パチンコ遊技機用デプスゲージ」の本尺15である、図5（a）は正面図で図5（c）は裏面図で図5（b）は図5（a）（c）の側面透視
図である。
【００３８】
図5で示す本尺も公知のノギス又は、電子ノギスに有る内側用測定ジョー12と外側用測定ジョー13を取り省き本尺アーム部15aが本尺15と一体となっていることを特徴としている。
【００３９】
図5（a）16は本尺目盛部で数字はデプスバー方向を上向きに表記してある。デプスバーは測定子当接面21から10ｍｍ離れた位置よりクランク状に曲げてあるため数字の始点は10ｍｍからとなっているが50ｍｍ以上の不要と考えられる数字は表記しなくともよい。本尺アーム部15aの28bは指掛部材止め螺子用孔で裏面に指掛部材27を螺子止めするために用いるが指通し部材24を取付ける場合には本尺アーム部15aを長くするとともに螺子用孔の位置を別の位置に設けなくてはならない又、指掛部材図6（a）27は本尺アーム部15a裏面に溶接で固着してもよい。        
【００４０】
図5（a）正面図で示すように本尺15より本尺アーム部15aは細く加工してあるが本尺15とそのままの巾を確保してアーム部としてもよい。
【００４１】
図5（b）は本尺の側面透視図であるが螺子用孔28bは螺子の頭を収納して螺子の頭が本尺平面より飛び出すことがないように加工してある。
【００４２】
図5（b）（c）の19aはデプスバーの収納溝である。収納溝の末端に有る止端部材止め螺子用孔30（ｂ）は収納されるデプスバーが本計測器の組み立て後に不用意に外れるのを防ぐための止端部材図6（a）29を螺子止めするために用いられる螺子用孔である。
【００４３】
本尺15は図6（a）で示すようにスライダ17と本尺囲み部材31、32の間にあってスライダ空間部に収め、本尺囲部材31、32で囲むように本尺囲み部材止め螺子33によってスライダ17の螺子孔33aに螺子止めされることでスライド自在となるように収納される。
【００４４】
デプスバー19が本尺のデプスバー収納溝、図5（c）19aから不用意に外れることを防止する止端部材29は本尺15の止端部材止め螺子用孔30bを通した止端部材止め螺子30によって螺子止めされる。
【００４５】
本尺アーム部15aに設けられた指掛部材止め螺子用孔28bを通した指掛部材止め螺子28を指掛部材27の指掛部材止め螺子孔28aに螺子止めすることによって指掛部材27は本尺アーム部15aに固定される
【００４６】
同じ要領で指通し部材24をスライダ17の裏面の指通し部材止め螺子孔25aに螺子止めすると側面図6（b）に示すような形容の本発明「パチンコ遊技機用デプスゲージ」となり該図面の26が指掛部、23が指通し部である。
【００４７】
図6（a）17aのスライダ止め螺子は本図面の裏側で見えない位置17bにねじ込まれ板バネ22（図6には図示なし）のバネ圧力調整及び、目盛表示の固定に用いる。
【００４８】
図7は組み立て後の「パチンコ遊技機用デプスゲージ」の正面図である。
【００４９】
図8は「パチンコ遊技機用デプスゲージ」の斜視図であり31の本尺囲み部材には副尺目盛部18が表記してあり本尺15の表面には本尺目盛部16が表記してあるが該図面には図示していない。
【００５０】
図9は請求項2の電子デプスゲージで図9（a）は正面図、図9（ｂ）は側面図、図9(c)は裏面図である。請求項1と同じく公知の電子ノギスの内側用測定ジョー12と外側用測定ジョー13を取り省き本尺15と一体となった本尺アーム部15ａが設けられている、本尺アーム部15ａは指掛部材螺子用孔28bを通して指掛部止め螺子図6（a）28によって指掛部材図9（ｂ）27を螺子止め固定するが、螺子を使わず溶接で固着してもよい。
【００５１】
図9（ｂ）24の指通し部材も図9（ｃ）24で示すように図6（ａ）25の指通し部材止め螺子によって電子部品内蔵可動副尺部18ａの裏面に螺子止め固定してあるが、螺子を使わず溶接で固着してもよい。
【００５２】
電子デプスゲージのデプスバー19の測定子21近傍もクランク状20に曲げるかクランク状に加工してある。
【００５３】
図9（a）37、38、39は電子部品内臓可動副尺部18a表面に設けられた電源及びクリアー及び保留のボタン群である。16aはデジタル表示部で、表示される数字はデプスバー方向を上向きに表示されていることを特徴としている。
【００５４】
図9（c）は電子デプスゲージの裏面で指通し部材24と指掛部材27の取付け状態を示している。19aはデプスバー収納溝に収まったデプスバー19の状態図でデプスバーが不用意に外れることを防ぐ役目の止端部材29が止端部材止め螺子図9（a）30によって螺子止めされている。
【００５５】
本発明の本尺15にあたる電子デプスバーの本尺にあっては本尺目盛部16の内部に細長い印刷回路基板及びディスラプタなど公知の回路基板製造技術を用いて形成して保護絶縁層で覆うなどしてあるが、電子技術の細かいことを本出願人には記述できない難しさがあること又、本発明の請求項に直接的な関係が無いこと又、公知の技術であることなどから内部構造の説明は割愛させていただく。
【００５６】
電子部品内蔵可動副尺部18aの内部構造も前記同様の事情で割愛させていただく。
【００５７】
図10では公知の電子ノギスの内側用測定ジョー12と外側用測定ジョー13を取り省いて本尺アーム部15aを設け該アームに指掛部材27を螺子止めで固定し、電子部品内蔵可動副尺部18a裏面に指通し部材24を螺子止めで固定し、デプスバー19をクランク状20に曲げ、デジタル表示数字を測定子当接面21方向へ上向き表示した本発明請求項2の「パチンコ遊技機用デプスバー」の斜視図である。
【００５８】
図11（a）は請求項3の「パチンコ遊技機用デプスゲージ」であって、公知のノギスで内側用測定ジョー12と外側用測定ジョー13を取り省いてデプスバー19を利用したスライダ17である。該スライダ17にあっては直型のデプスバー19であってクランク状に曲げてないのが特徴で請求項1と実施の形態においては同じである。
【００５９】
図11（b）は請求項3の「パチンコ遊技機用デプスゲージ」の斜視図である。該ゲージにあっては本尺15に表記する目盛部数字16が0ｍｍを始点としているために風車及び、遊技釘に限らず一般的なデプスゲージの用途に使用することができる。
【００６０】
図12は請求項4であって、公知の電子ノギスで内側用測定ジョー12と外側用測定ジョー13を取り省いてデプスバー19を利用したデプスゲージである。該電子部品内蔵可動副尺部18aにあってはデプスバー19がクランク状に曲げてないのが特徴で指通し部23指掛部26は請求項2と実施の形態においては同じである。
【００６１】
図13（a）は請求項5であって折り曲げ式指通し部材34の側面図である。該部材にあっては「パチンコ遊技機用デプスゲージ」に設けられた本尺アーム部15aとスライダ17又は、電子部品内蔵可動副尺部18aの裏面に螺子によって固定又は、溶接によって固着される部材である。
【００６２】
該指通し部23はデプスゲージ又は、電子デプスゲージを使用しないときにおいて格納を容易にするために指通し部固定部材40と指通し部材24から形成されており、連結部41で枢支孔35を通したリベット42又は、螺子などによって連結部41で折り曲げ自在となるように連結されている。図示無しだが指掛部26も該連結方法によって折り曲げ自在となる。
【００６３】
図13（b）、（c）は折り曲げ式指通し部34で図13（a）の側面図に対して前後面から見た図である図13（b）、（c）は連結部41を要に左右に自在に折り曲げることができる。
【００６４】
指通し部23及び、指掛部26は部材を厚くしたり薄くしたり自由である。図14では参考例としてリング状の指通し部23を図示した該リングに螺子25を設け本尺アーム部15a又はスライダ17及び電子部品内蔵可動副尺部18a裏面に螺子孔を設けて取付け可能とした又、該リングは溶接で固着することもできる。
【００６５】
図15（a）（b）（c）では本尺、スライダ共に指通し部23を設けた「パチンコ遊技機用デプスゲージ」の意匠例であるがこのように本尺、スライダ共に指掛部を設けたデプスゲージ又は、電子デプスゲージでもよい。
【００６６】
図16（a）（b）は本発明「パチンコ遊技機用デプスゲージ」による計測例図である。図16（a）は風車釘5aによって遊技盤面11に回転自在となるように緩やかに取付けられた風車の円板部1の一方と遊技盤面11との隔たりを測定している例図で図16（b）は遊技盤面11に打込まれた遊技釘5の浅深状態の計測例図である。
【図面の簡単な説明】
【００６７】
【図１】はパチンコ遊技機製造の各メーカが使用している一般的な風車の形態図と風車の取付け方を示した図である。
【図２】は公知のノギスと電子ノギスの形態図である。
【図３】は本発明のデプスバーでスライダと主要部材の形態図である。
【図４】は本発明のデプスバーでスライダの裏面図である。
【図５】は本発明の本尺アーム部を示す本尺の正面、側面、裏面図である。
【図６】は本発明の各部材と公知のノギスの組合せ方と完成側面図である。
【図７】は本発明の完成正面図である。
【図８】は本発明の斜視図である。
【図９】は請求項2で公知の電子部品内臓可動副尺部に本発明を組合せた形態図で正面図、側面図、裏面図である。
【図１０】は公知の電子部品内蔵可動副尺部と本発明を組合せた斜視図である。
【図１１】は請求項3の直型デプスバーを備えた本発明の斜視図である。
【図１２】は請求項4の直型デプスバーを備え公知の電子部品内蔵可動副尺部を持つ本発明の斜視図である。
【図１３】は請求項5の折り曲げ自在となる指通し部で側面図、側面の前後図である。
【図１４】は指通し部の例図である。
【図１５】は指通し部の意匠例図である。
【図１６】は本発明「パチンコ遊技機デプスゲージ」の使用例図である。
【符号の説明】
【００６８】
1  円板部
2  貫通孔
3  回転軸部
4  羽根
5  遊技釘
5a  風車釘
6  釘笠部
7  頭頂部
8  接面部
9  当接面
11  遊技盤面
12  内側用測定ジョー
13  外側用測定ジョー
14  パチンコ遊技機用デプスゲージ
15  本尺
15a  本尺アーム部
16  本尺目盛部
16a  デジタル表示部
17  スライダ
17a  スライダ止螺子
17b  スライダ止螺子孔
18  副尺目盛部
18a  電子部品内蔵可動副尺部
19  デプスバー
19a  デプスバー収納溝
20  クランク形状部
21  測定子当接面
22  板バネ
22a  板バネ滑り止めピン
22b  板バネ滑り止めピン孔
23  指通し部
24  指通し部材
25  指通し部材止め螺子
25a  指通し部材止め螺子孔
25b  指通し部材止め螺子孔用孔
26  指掛部
27  指掛部材
28  指掛部材止め螺子
28a  指掛部材止め螺子孔
28b  指掛部材止め螺子孔用孔
29  止端部材
30  止端部材止め螺子
30a  止端部材止め螺子孔
30b  止端部材止め螺子孔用孔
31  本尺囲み部材1
32  本尺囲み部材2
33  本尺囲み部材止め螺子
33a  本尺囲み部材止め螺子孔
33b  本尺囲み部材止め螺子用孔
34  折り曲げ式指通し部
35  枢支孔
36  螺子
37  電源スイッチ
38  保留ボタン
39  クリアボタン
40  指通し部固定部材
41  連結部
42  リベット
【図１】
2009291260.tif 000003
【図２】
2009291260.tif 000004
【図３】
2009291260.tif 000005
【図４】
2009291260.tif 000006
【図５】
2009291260.tif 000007
【図６】
2009291260.tif 000008
【図７】
2009291260.tif 000009
【図８】
2009291260.tif 000010
【図９】
2009291260.tif 000011
【図１０】
2009291260.tif 000012
【図１１】
2009291260.tif 000013
【図１２】
2009291260.tif 000014
【図１３】
2009291260.tif 000015
【図１４】
2009291260.tif 000016
【図１５】
2009291260.tif 000017
【図１６】
2009291260.tif 000018